【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
少なくとも１つのレーン（１２）であって、これに沿ってボール（１３）が転がされるレーン（１２）と、ピン（Ｐ）をセットアップし前記ボール（１３）を戻すための装置（１６）とを備えたボウリング施設又は同様な施設において少なくとも１つのイベントを処理するための方法であって、前記イベントに関する信号を生成するステップを含み、
前記イベント信号が、予め決められたメッセージを含みかつ技師に送信される、通知信号であることを特徴とする方法。
【請求項２】
前記イベントが点検修理呼び出し条件を生じることを特徴とする請求項１に記載の方法。
【請求項３】
前記イベントが点検修理呼び出し条件を生じ、前記イベントが故障又はエラーからなることを特徴とする請求項１に記載の方法。
【請求項４】
前記エラーが前記ピン・セットアップ機の故障であることを特徴とする請求項３に記載の方法。
【請求項５】
前記エラーが前記ボウリング・レーンに発生した故障であることを特徴とする請求項３又は４に記載の方法。
【請求項６】
前記イベント信号が自動的に送信される通知信号であることを特徴とする請求項１〜５のいずれか１項に記載の方法。
【請求項７】
前記イベントが前記エラー又は故障の取り消しからなることを特徴とする請求項１〜６のいずれか１項に記載の方法。
【請求項８】
前記取り消しイベントが前記故障指示イベントの後に生起されることを特徴とする請求項７に記載の方法。
【請求項９】
前記イベントが、前記呼び出し又は通知の受信を確認応答する信号であることを特徴とする請求項１〜８のいずれか１項に記載の方法。
【請求項１０】
前記受信確認応答信号が前記技師によって作業が実施された後に発せられることを特徴とする請求項９に記載の方法。
【請求項１１】
前記イベントが前記エラー又は故障を修復するための作業が開始されたことを示す信号からなることを特徴とする請求項１〜１０のいずれか１項に記載の方法。
【請求項１２】
作業の開始を示す前記イベント信号が前記故障指示イベント後に生成されることを特徴とする請求項１１に記載の方法。
【請求項１３】
作業の開始を示す前記イベント信号が、前記故障指示イベント後、故障が発生したエリアに前記技師が到着して問題解決のための作業を開始するときに生成されることを特徴とする請求項１１又は１２に記載の方法。
【請求項１４】
前記イベントが、前記エラー又は故障を修復するための作業が完了したことを示す信号からなることを特徴とする請求項１〜１３のいずれか１項に記載の方法。
【請求項１５】
作業完了を示す前記イベント信号が前記作業開始イベント後に生成されることを特徴とする請求項１４に記載の方法。
【請求項１６】
作業完了を示す前記イベント信号が、前記技師が問題解決のためのプロシージャを終了したときに生成されることを特徴とする請求項１４又は１５に記載の方法。
【請求項１７】
前記イベントが、前記故障が検出されたレーンの閉鎖からなることを特徴とする請求項１〜１６のいずれか１項に記載の方法。
【請求項１８】
前記イベント信号が、前記信号を生成した源を特定できるようにされていることを特徴とする請求項１〜１７のいずれか１項に記載の方法。
【請求項１９】
前記イベント信号が検出されるイベントのタイプを特定できるようにされていることを特徴とする請求項１〜１８のいずれか１項に記載の方法。
【請求項２０】
前記イベント信号が、前記故障が発生したエリアを特定できるようにされていることを特徴とする請求項１〜１９のいずれか１項に記載の方法。
【請求項２１】
前記イベント信号が、前記故障が発生した前記ピン・セットアップ機の部分を特定できるようにされていることを特徴とする請求項２０に記載の方法。
【請求項２２】
前記イベント信号が、整備を必要とする機械の部分が機械の前面であるか否かを示すことを特徴とする請求項２１に記載の方法。
【請求項２３】
前記イベント信号が、整備を必要とする機械の部分が機械の裏面であるか否かを示すことを特徴とする請求項２１又は２２に記載の方法。
【請求項２４】
前記イベント信号が手動操作によって生成されることを特徴とする請求項１〜２３のいずれか１項に記載の方法。
【請求項２５】
前記イベント信号が自動的に生成されることを特徴とする請求項１〜２４のいずれか１項に記載の方法。
【請求項２６】
該方法が、前記イベント信号に応答する信号又は動作をコード化するための信号を生成するステップを有することを特徴とする請求項１〜２５のいずれか１項に記載の方法。
【請求項２７】
前記応答信号が、前記イベントに関する情報の少なくとも１つの部分を構成することを特徴とする請求項２６に記載の方法。
【請求項２８】
該方法が、前記イベントに関する信号を発するステップを有することを特徴とする請求項１〜２７のいずれか１項に記載の方法。
【請求項２９】
前記信号の前記発信が前記ボウリング・レーン（１２）に配置される発光手段（２８）によって行われることを特徴とする請求項２８に記載の方法。
【請求項３０】
前記信号が音声信号の形で発せられることを特徴とする請求項２８又は２９に記載の方法。
【請求項３１】
前記信号が映像信号の形で発せられることを特徴とする請求項２８〜３０のいずれか１項に記載の方法。
【請求項３２】
前記信号が前記ボウリング・レーンに配置されるスクリーン（１８）によって発せられることを特徴とする請求項３１に記載の方法。
【請求項３３】
前記信号が電話信号の形で発せられることを特徴とする請求項２８〜３２のいずれか１項に記載の方法。
【請求項３４】
前記応答信号が通知を定義することを特徴とする請求項２８〜３３のいずれか１項に記載の方法。
【請求項３５】
前記通知信号が、前記イベントに関する情報の少なくとも１つの部分を含むことを特徴とする請求項３４に記載の方法。
【請求項３６】
前記イベントに関する前記情報が故障の通知を定義することを特徴とする請求項３５に記載の方法。
【請求項３７】
前記故障通知が故障のタイプを定義することを特徴とする請求項３６に記載の方法。
【請求項３８】
前記故障通知が、前記故障が発生したエリアを定義することを特徴とする請求項３６又は３７に記載の方法。
【請求項３９】
前記故障通知が、点検修理を必要とする前記ピン・セットアップ機の部分を定義することを特徴とする請求項３５〜３８のいずれか１項に記載の方法。
【請求項４０】
前記故障通知が点検修理を必要とする部分が前記機械の前面から接近可能か裏面から接近可能かを定義することを特徴とする請求項３９に記載の方法。
【請求項４１】
前記通知信号が、技師が呼び出されたという情報を構成することを特徴とする請求項３５に記載の方法。
【請求項４２】
前記通知信号が、修理作業が開始されたという情報を構成することを特徴とする請求項３５に記載の方法。
【請求項４３】
前記通知信号が、修理作業が完了したという情報を構成することを特徴とする請求項３５に記載の方法。
【請求項４４】
前記通知信号が、前記ボウリング・レーンが閉鎖されているという情報を構成することを特徴とする請求項３５に記載の方法。
【請求項４５】
該方法が、前記技師が作業を実施するためにかかる時間をカウントするステップを有することを特徴とする請求項１〜４４のいずれか１項に記載の方法。
【請求項４６】
画像が、故障が検出されたという情報を与えるために表示されることを特徴とする請求項１〜４５のいずれか１項に記載の方法。
【請求項４７】
画像が、前記整備士に通知が与えられたという情報を与えるために表示されることを特徴とする請求項１〜４６のいずれか１項に記載の方法。
【請求項４８】
画像が、前記整備士が到着したという情報を与えるために表示されることを特徴とする請求項１〜４７のいずれか１項に記載の方法。
【請求項４９】
画像が、修理作業が進行中であるという情報を与えるために表示されることを特徴とする請求項１〜４８のいずれか１項に記載の方法。
【請求項５０】
修理作業完了信号が、整備士がピン・セットアップ機（１６）のプッシュボタン・スイッチ（２３）を押すことによって生成されることを特徴とする請求項１〜４９のいずれか１項に記載の方法。
【請求項５１】
前記修理作業完了信号が電話によって与えられることを特徴とする請求項１〜５０のいずれか１項に記載の方法。
【請求項５２】
前記修理作業完了信号がメイン・コンソール（２１ｂ）を通じて与えられることを特徴とする請求項１〜５１のいずれか１項に記載の方法。
【請求項５３】
前記修理作業完了信号がピン・セットアップ機（１６）によって自動的に生成されることを特徴とする請求項１〜５２のいずれか１項に記載の方法。
【請求項５４】
画像が、修理作業が順調に完了したことを知らせるために表示されることを特徴とする請求項１〜５３のいずれか１項に記載の方法。
【請求項５５】
前記修理作業完了信号が、関係するボウリング・レーンが開いていると見なされるか閉じていると見なされるかをチェックするルーチン（１４４）によって処理されることを特徴とする請求項４３〜５４のいずれか１項に記載の方法。
【請求項５６】
前記エラー又は故障信号が、前記ボウラー用ベイに配置されるプッシュボタン・スイッチ（２２）によって生成できることを特徴とする請求項２〜５５のいずれか１項に記載の方法。
【請求項５７】
前記故障イベント信号が、まず前記レーンが実際に開いているか否かをチェックするためにテストされることを特徴とする請求項２〜５６のいずれか１項に記載の方法。
【請求項５８】
前記故障イベント信号が、前記イベント信号を生成する前記プッシュボタン（２２）が有効か否かをチェックするためにテストされることを特徴とする請求項５６又は５７に記載の方法。
【請求項５９】
前記ボウリング施設のレーン及び装置の点検修理に関する統計データが収集され、記憶され、表示されることを特徴とする請求項１〜５８のいずれか１項に記載の方法。
【請求項６０】
機械の停止時間に関するデータが処理されることを特徴とする請求項１〜５９のいずれか１項に記載の方法。
【請求項６１】
前記技師の平均応答時間が測定されることを特徴とする請求項１〜６０のいずれか１項に記載の方法。
【請求項６２】
前記技師の平均作業時間が測定されることを特徴とする請求項１〜６１のいずれか１項に記載の方法。
【請求項６３】
前記保守・修理技師が前記ボウリング・レーンに居る前記プレイヤーと直接通信することを特徴とする請求項１〜６２のいずれか１項に記載の方法。
【請求項６４】
ボウリング施設又は同様な施設において少なくとも１つのイベントを処理するためのシステムであり、前記ボウリング施設が、これに沿ってボール（１３）が転がされる少なくとも１つのレーン（１２）及びピン（Ｐ）をセットアップし前記ボールを戻すための装置（１６）を備え、該システムが、前記イベントに関する信号を生成するための手段を備え、前記イベント信号が、予め決められたメッセージを含みかつ技師に送信される、通知信号であることを特徴とするシステム。
【請求項６５】
前記ボウリング施設がボウラー用ベイを備えることを特徴とする請求項６４に記載のシステム。
【請求項６６】
前記ボウラー用ベイに表示手段（１８）が装備されることを特徴とする請求項６４又は６５に記載のシステム。
【請求項６７】
前記信号生成手段が、手動で起動できる手段であることを特徴とする請求項６４〜６６のいずれか１項に記載のシステム。
【請求項６８】
前記信号生成手段が制御コンソール（２１ｂ、１５）からなることを特徴とする請求項６７に記載のシステム。
【請求項６９】
前記信号生成手段が、前記ボウリング場のフロント・デスク（２０）に配置されるコンソール（２１ｂ）を備えることを特徴とする請求項６７又は６８に記載のシステム。
【請求項７０】
前記信号生成手段が、前記ボウラー用ベイに配置されるコンソール（１５）を備えることを特徴とする請求項６７〜６９のいずれか１項に記載のシステム。
【請求項７１】
前記信号生成手段が、前記イベント信号を自動的に生成する手段であることを特徴とする請求項６４〜７０のいずれか１項に記載のシステム。
【請求項７２】
前記信号生成手段が、前記ピン・セットアップ装置を制御するための手段（１７）からなることを特徴とする請求項７１に記載のシステム。
【請求項７３】
前記信号生成手段がスイッチによって起動できる手段であることを特徴とする請求項６４〜７２のいずれか１項に記載のシステム。
【請求項７４】
前記信号生成手段が前記ピン・セットアップ装置に配置されることを特徴とする請求項６４〜７３のいずれか１項に記載のシステム。
【請求項７５】
前記信号生成手段（２２）が前記ボウラー用ベイに配置されることを特徴とする請求項６４〜７４のいずれか１項に記載のシステム。
【請求項７６】
前記信号生成手段が電話機を含むことを特徴とする請求項６４〜７５のいずれか１項に記載のシステム。
【請求項７７】
前記電話機が携帯電話（３４）であることを特徴とする請求項７６に記載のシステム。
【請求項７８】
前記電話機が固定電話（３６）であることを特徴とする請求項７６又は７７に記載のシステム。
【請求項７９】
該システムが、前記イベント信号に応答して信号又は動作をコード化するための信号を生成する制御手段を備えることを特徴とする請求項６４〜７８のいずれか１項に記載のシステム。
【請求項８０】
前記応答信号が、前記イベントに関する情報の少なくとも１つの部分を構成することを特徴とする請求項７９に記載のシステム。
【請求項８１】
前記制御手段が主制御ユニット（２１ａ）を備えることを特徴とする請求項７９又は８０に記載のシステム。
【請求項８２】
前記制御手段が、前記イベントを制御するための中央ユニット（２４）を備えることを特徴とする請求項７９〜８１のいずれか１項に記載のシステム。
【請求項８３】
前記中央イベント制御ユニット（２４）が前記主制御ユニット（２１ａ）と通信することを特徴とする請求項８２に記載のシステム。
【請求項８４】
前記制御手段がローカル制御ユニット（２６）を備えることを特徴とする請求項７９〜８３のいずれか１項に記載のシステム。
【請求項８５】
前記ローカル・ユニット（２６）が前記中央ユニット（２４）と通信することを特徴とする請求項８４に記載のシステム。
【請求項８６】
前記ピン・セットアップ機（１６）の前記スイッチ起動手段（２３）が前記ローカル制御ユニット（２６）と通信することを特徴とする請求項８４又は８５に記載のシステム。
【請求項８７】
前記ピン・セットアップ機（１６）の前記スイッチ起動又は制御手段（１７）が前記ローカル制御ユニット（２６）と通信することを特徴とする請求項８４〜８６のいずれか１項に記載のシステム。
【請求項８８】
前記ボウラー用ベイ（１４）の前記スイッチ起動手段（２２）が前記ローカル制御ユニット（２６）と通信することを特徴とする請求項８４〜８７のいずれか１項に記載のシステム。
【請求項８９】
該システムが、前記イベントに関する信号を発するための手段を備えることを特徴とする請求項６４〜８８のいずれか１項に記載のシステム。
【請求項９０】
前記信号発信手段が、前記ボウリング・レーン（１２）に配置される発光手段（２８）を備えることを特徴とする請求項８９に記載のシステム。
【請求項９１】
前記発光手段（２８）が前記ローカル制御ユニット（２６）に接続されることを特徴とする請求項８９又は９０に記載のシステム。
【請求項９２】
前記信号が音声信号の形で発せられることを特徴とする請求項８８〜９１のいずれか１項に記載のシステム。
【請求項９３】
前記信号が映像信号の形で発せられることを特徴とする請求項８８〜９１のいずれか１項に記載のシステム。
【請求項９４】
前記信号が前記ボウリング・レーンの前記スクリーン（１８）によって発せられることを特徴とする請求項９３に記載のシステム。
【請求項９５】
前記信号が電話信号の形で発せられることを特徴とする請求項８８〜９３のいずれか１項に記載のシステム。
【請求項９６】
前記信号発信手段が携帯電話（３４）を含むことを特徴とする請求項９４に記載のシステム。
【請求項９７】
前記電話（３４）が前記中央ユニット（２４）と通信することを特徴とする請求項６４〜９６のいずれか１項に記載のシステム。
【請求項９８】
前記電話信号発信手段がケーブル（３６２４）によって前記中央ユニット（２４）に接続される電話（３６）を含むことを特徴とする請求項８８〜９６のいずれか１項に記載のシステム。
【請求項９９】
修理作業順調完了信号が前記ピン・セットアップ機（１６）によって自動的に生成されることを特徴とする請求項６４〜９８のいずれか１項に記載のシステム。